(57)【要約】【課題】  音声データのような絶対時間処理が必要な複数回線のデータをメモリに、同時に記録する。【解決手段】  着脱可能なメモリメディア２０２に複数の音声データを同時に記録する音声記録装置において、複数の回線から音声データを同時に入力し、各回線からの音声データを回線毎に設けられたバッファ３０２に格納する。そして、メモリメディア２０２への書き込み速度に基づいて、制御部３０５がバッファ３０２から各回線からの音声データを順番に読み出し、メモリメディア２０２の各回線に対応する領域に記録するようにデータセレクタ３０３及びＩ／Ｆ部３０４を制御する。【選択図】      図３
2005301135.tif 000002
【特許請求の範囲】
【請求項１】
着脱可能なメモリメディアに複数の音声データを同時に記録する音声記録装置における音声記録方法であって、
複数の回線から音声データを同時に入力し、各回線からの音声データを回線毎に設けられたバッファに格納する工程と、
前記メモリメディアへの書き込み速度に基づいて、前記バッファから各回線からの音声データを順番に読み出し、前記メモリメディアの各回線に対応する領域に記録するように制御する工程とを有することを特徴とする音声記録方法。
【請求項２】
前記メモリメディアに記録された複数の音声データを再生する工程を更に有することを特徴とする請求項１記載の音声記録方法。
【請求項３】
着脱可能なメモリメディアに複数の音声データを同時に記録する音声記録装置であって、
複数の回線から音声データを同時に入力し、各回線からの音声データを回線毎に設けられたバッファに格納する格納手段と、
前記メモリメディアへの書き込み速度に基づいて、前記バッファから各回線からの音声データを順番に読み出し、前記メモリメディアの各回線に対応する領域に記録するように制御する制御手段とを有することを特徴とする音声記録装置。
【発明の詳細な説明】
【技術分野】
【０００１】
本発明は、複数のデータをメモリメディアに同時に記録する技術に関する。
【背景技術】
【０００２】
昨今、カタログショッピングやテレビショッピングなどで商品を購入する場合、電話で注文することが一般的に行われている。しかしながら、商品の売り買いや契約などが電話で行われるため、お互いの意志が十分に伝わらず「言った、言わなかった」のトラブルも多数発生している。
【０００３】
そこで、企業又は個人、販売者と顧客、契約者と被契約者の間でなされた全ての会話が記録され、必要に応じて再生できるならば、このようなトラブルを回避することができる。このようなトラブルを回避することにより、個人又は企業における経済効果は計り知れないものがあると考えられる。
【０００４】
図１は、従来のデータ記録装置の構成例を示す図である。図１に示す（ａ）及び（ｂ）は、複数の回線からほぼ同時に入力される音声データを大容量の一台或いは複数のハードディスク（ＨＤＤ）に記録するものである（例えば、特許文献１参照）。
【０００５】
また、図１に示す（ｃ）は、複数のメモリとして、コンパクトフラッシュ（登録商標）などの小型で取り扱いが容易なＩＣメモリに記録するものである。
【特許文献１】特開平８−２９７９１６号公報
【発明の開示】
【発明が解決しようとする課題】
【０００６】
しかしながら、上記従来例では、大容量のハードディスクを複数台用いて構成した場合、導入コストが増大し、また設置空間も広大となり、更に録音した音声データを再生する際に、特殊な装置が必要となる、という問題があった。
【０００７】
また、近年の記憶媒体として主流になりつつあるＩＣメモリを用いた場合、年々メモリ容量は増えてきているが、音声データのような絶対時間処理が必要であるデータを同時に複数記録するには複数のＩＣメモリを使用しなければならず、装置を小型化できない、という問題があった。
【０００８】
更に、メモリとして、着脱可能なメモリスティックやマルチメディアカードを使用した場合は、メモリへのアクセスがシリアルであるため、複数のデータを同時に記録できない、という問題もあった。
【０００９】
本発明は上記課題を解決するためになされたもので、音声データのような絶対時間処理が必要な複数回線のデータをメモリに、同時に記録することを目的とする。
【００１０】
また、小型で、且つ取り扱いが容易なメモリメディアを用いた音声記録装置を提供することを目的とする。
【課題を解決するための手段】
【００１１】
本発明は、着脱可能なメモリメディアに複数の音声データを同時に記録する音声記録装置における音声記録方法であって、複数の回線から音声データを同時に入力し、各回線からの音声データを回線毎に設けられたバッファに格納する工程と、前記メモリメディアへの書き込み速度に基づいて、前記バッファから各回線からの音声データを順番に読み出し、前記メモリメディアの各回線に対応する領域に記録するように制御する工程とを有することを特徴とする。
【００１２】
また、本発明は、着脱可能なメモリメディアに複数の音声データを同時に記録する音声記録装置であって、複数の回線から音声データを同時に入力し、各回線からの音声データを回線毎に設けられたバッファに格納する格納手段と、前記メモリメディアへの書き込み速度に基づいて、前記バッファから各回線からの音声データを順番に読み出し、前記メモリメディアの各回線に対応する領域に記録するように制御する制御手段とを有することを特徴とする。
【発明の効果】
【００１３】
本発明によれば、音声データのような絶対時間処理が必要な複数回線のデータをメモリに、同時に記録することができる。
【発明を実施するための最良の形態】
【００１４】
以下、図面を参照しながら発明を実施するための最良の形態について詳細に説明する。尚、本実施形態では、複数の同時に入力されるデータとして、音声データを例に説明するが、本発明はこれだけに限らず、映像データなどを含むマルチメディアに適用することも可能である。
【００１５】
図２は、本実施形態における音声記録装置の構成の一例を示すブロック図である。図２において、２０１はメディアインタフェース（Ｉ／Ｆ）部であり、複数の電話回線からの音声データを同時に入力し、後述するメモリメディアに記録するように制御する。２０２はメモリメディアであり、本音声記録装置に後述するインタフェースを介して着脱可能に接続され、複数の音声データを記録し、音声記録装置及び汎用のパーソナルコンピュータ（ＰＣ）などで直接処理できるものである。
【００１６】
ここで、メモリメディア２０２としては、例えばコンパクトフラッシュ（登録商標）、マイクロドライブ、スマートメディア（登録商標）、メモリスティック、ＳＤメモリカード、マルチメディアカードなどの小型で、取り扱い、管理が容易なメモリが使用可能であり、任意に選択することが可能である。
【００１７】
図３は、図２に示したメディアＩ／Ｆ部２０１の詳細な構成を示すブロック図である。メディアＩ／Ｆ部２０１は、図３に示すように、前処理部３０１と、ＦＩＦＯ（First In First Out）３０２と、データセレクタ３０３と、インタフェース（Ｉ／Ｆ）部３０４と、制御部３０５と、音声再生機能部３０６と、キー入力部３０８と、表示部３０９とから構成されている。尚、図３に示す構成は一例であり、他の構成を含んでも良いことは言うまでもない。以下、順に各部の構成及び動作について説明する。
【００１８】
まず、前処理部３０１は、例えば１６回線からの音声データを入力し、メモリメディア２０２の各種記録条件に適合するように、ＡＧＣ処理、データ圧縮処理、無音圧縮処理、データ秘匿化処理などを行う。また、上述の音声データはアナログ信号として入力され、不図示のＡ／Ｄ変換器によってディジタル信号に変換しても良い。
【００１９】
ＡＧＣ処理は、一般に自分の音声と相手の音声にレベル差（約２５〜３０ｄＢ）があるので、この両方を明瞭に録音できるように、ディジタル処理によりレベル変換を行う処理である。そして、データ圧縮処理は、記録効率を高めるために、音声データの圧縮を行う処理である。この圧縮方法としては、公知のもので良く、詳細な説明は省略する。
【００２０】
また、無音圧縮処理は、無音も情報として必要であるから、単に削除するのではなく、無音を再生時に忠実に復元できるように、位置と長さ情報を有音データ部に付加し、記録データを形成する処理である。
【００２１】
図４は、無音圧縮処理の概要を説明するための図である。図４に示すように、音声信号の有音部を所定の圧縮方法によって圧縮した後、無音部を示す情報と無音が連続する時間を示す情報とを付加して圧縮データとするものである。
【００２２】
次に、データ秘匿化処理は、データの秘匿を与えるために、スクランブル又は暗号化を行い、権限者のみが解読できるようにする処理である。ここで、スクランブル又は暗号化の方法は、特に限定するものではない。
【００２３】
尚、上述したＡＧＣ処理、データ圧縮処理、無音圧縮処理、データ秘匿化処理の全てを実行するように構成しても良いし、予めユーザが選択した処理だけを実行するように構成しても良い。
【００２４】
図３に戻り、ＦＩＦＯ３０２は、シリアルの入力データをパラレルに変換して出力するバッファである。尚、出力のデータ幅はメモリメディア２０２によって異なり、バッファ容量はメモリメディア２０２に対する書き込み時間とチャネル数との計算が必要であり、その計算式は以下のようになる。ここで、メディアアクセス最低速度は１回のアクセスに補償される最低速度である。
【００２５】
（バッファ容量）＝（入力データ速度）÷（データ幅）
×（チャネル数）×（メディアアクセス最低速度）
従って、このバッファ容量のＦＩＦＯ１〜１６に格納された入力データを、次式を満足するように、制御部３０５がデータセレクタ３０３を制御してＦＩＦＯ１〜１６のデータを出力させることにより、入力データをメモリメディア２０２に多重記録することが可能となる。
【００２６】
図５は、メモリメディア多重記録処理のタイミングを示す図である。ここで、Ｔは最大許容時間、ｎは記録チャネル数であり、チャネルサンプリング速度×ｎ＜Ｔである。
【００２７】
次に、データセレクタ３０３は、入力データを制御部３０５の指示により選択し、Ｉ／Ｆ部３０４への転送データを確定する。尚、入出力データ幅は、メモリメディア２０２によって異なるものである。そして、Ｉ／Ｆ部３０４は、メモリメディア２０２に対応したデータアクセスモジュールであり、本装置に装着されたメモリメディアの特徴を自動認識し、それぞれに適したＩ／Ｆ条件を設定する。
【００２８】
次に、制御部３０５は、例えばＭＰＵ、ＲＯＭ、ＲＡＭなどで構成され、システム全体の機能を制御する。具体的には、各チャネルの状態（ＦＩＦＯの状態）を監視し、データセレクタ３０３を制御する。Ｉ／Ｆ部３０４に対しては、メモリメディア２０２の状態を読み出し、その状態に応じて所定の処理（録音、再生）を実行し、メモリメディア２０２を制御する。また、キー入力部３０８から権限者のパスワードを入力することで、音声を再生する機能を制御する。そして、表示部３０９に本装置の内部状態を示すデータを表示するように制御する。
【００２９】
次に、音声再生機能部３０６は、制御部３０５の制御に基づき、メモリメディア２０２から読み出された音声データを３０７のスピーカに出力し、音声再生を行う。尚、本実施形態では、メモリメディア２０２に記録された音声データを再生するものであるが、必要に応じて、キー入力部で指定されたチャネルのデータ再生もリアルタイムに行えるように構成されている。その場合、権限者のパスワード入力とチャネルを選択するための入力が必要である。
【００３０】
次に、キー入力部３０８は、権限者のパスワード入力やチャネル指定時にデータを入力するための各種キーが備えられている。また、表示部３０９は、ＬＣＤ、ＬＥＤなどを含み、権限者のパスワード入力やチャネル指定時のデータ確認の表示、本装置の状態表示、或いはメンテナンスのためのデータ表示などの機能を有する。
【００３１】
尚、キー入力部３０８と表示部３０９は別々に構成しても良いし、タッチパネルなどのように一体に構成しても良い。
【００３２】
［音声録音再生処理（メディア・アクセスタイミング）］
ここで、メディアＩ／Ｆ部２０１の制御部３０５が入力した複数の音声データをメモリメディア２０２に対して同時に録音及び再生する処理について説明する。
【００３３】
図６は、本実施形態における音声録音再生処理を示す概略フローチャートである。図６に示すように、複数のチャネル（具体的には電話回線）を介して入力される音声データを各チャネルに対応するＦＩＦＯ３０２にバッファリングし、データセレクタ３０３が順番にＦＩＦＯ３０２からパラレルの音声データを読み出し、Ｉ／Ｆ部３０４がシリアル変換し、メモリメディア２０２内部の各チャネルに対応するアドレスに書き込む。また、音声再生機能部３０６がメモリメディア２０２から音声データを読み出してスピーカ３０７に出力する。
【００３４】
即ち、チャネル毎に、入力された音声データのバッファリングを行う録音及び再生処理と、メモリメディアへの書き込み及び読み出しを制御する処理とを行うものである。
【００３５】
図７は、メモリメディア２０２へのアクセスタイミングを示す図である。このアクセスタイミングはメディアの補償最低速度でのスループットタイミングであり、入力データに対するスループットに余裕があれば書込みデータの間隔は広くなる。
【００３６】
図７に示す（ａ）は、全チャネル（この場合、１６チャネル）から入力されたデータをメモリメディア２０２へ書き込み、メモリメディア２０２からの読み出しを行わない場合のタイミングである。また、図７に示す（ｂ）は、全チャネルからの入力データをメモリメディア２０２へ書き込み、チャネル２のデータを読み出す場合のタイミング、同（ｃ）は全チャネルに対してデータの書き込み、読み出しを行う場合のタイミングである。
【００３７】
次に、２回線から入力された音声データ１及び２をメモリメディア２０２の別々の領域に書き込む場合の詳細なタイミングについて説明する。
【００３８】
図８は、音声データの書き込み開始時の詳細なタイミングを示す図である。図８に示すように、まず電話回線１に着信があり、電話機１のハンドセットがオフフックされて通話が開始されると、音声データ１が前処理部３０１に入力される。そして、メモリメディア２０２の各種記録条件に適合するように、ＡＧＣ処理、データ圧縮処理、無音圧縮処理、データ秘匿化処理が施され、音声データ１に対応するＦＩＦＯ１に書き込まれる。また、制御部３０５はメモリメディア２０２の音声データ１が書き込まれる領域の先頭に相手先電話番号、着信時間などの各種情報をファイル情報として書き込む。
【００３９】
次に、電話回線２にも着信があり、電話回線１と同様に通話が開始されると、その音声データ２も音声データ１と同様に処理され、ＦＩＦＯ２に書き込まれる。また、ファイル情報も同様に書き込まれる。
【００４０】
その後、予め設定されたデータ量がＦＩＦＯ１に格納される（BUF_HF1がONになる）と、データセレクタ３０３によってＦＩＦＯ１からデータが読み出され、Ｉ／Ｆ部３０４でパラレル／シリアル変換された後、メモリメディア２０２の対応する領域に書き込まれる。尚、ＦＩＦＯ２に格納されたデータもＦＩＦＯ１と同様に読み出され、メモリメディア２０２の対応する領域に書き込まれる。
【００４１】
このように、メモリメディア２０２のそれぞれの領域に連続的に音声データ１及び２が多重記録された後、電話機のハンドセットのオンフックにより通話が終了すると、図９に示すように、通話終了までに記録した音声データのデータ長などの情報をファイル情報として書き込み、この処理を終了する。
【００４２】
尚、本実施形態では、１つのメモリメディア２０２が本装置に装着され、音声データを録音及び再生する場合を例に説明したが、複数のメモリメディアが本装置に装着されても良いことは言うまでもない。
【００４３】
以上説明したように、本実施形態によれば、以下のような効果が得られる。
（１）音声のような絶対時間処理を必要とする場合に、録音時は複数チャネル同時に録音することができ、かつ複数同時に再生することが可能となる。
（２）再生時はランダムに複数チャネル同時再生することができる。
（３）メモリメディアを使用することにより小型化が可能となる。
（４）メモリメディアを複数使用することにより入力データチャネル数を任意に拡張することができる。
（５）上述したメモリメディアに対して適応可能である。
（６）将来メモリメディアの高速化、高容量化により、動画のような情報に対しても適用可能となる。
【００４４】
［応用例］
本発明に係る記録方法は、多種の分野のシステムに対して応用することが可能である。また、本装置に装着されるメモリメディアの台数を増やすことにより入力データチャネルを拡張することができる。
【００４５】
以下に、主な用途及びその優位性について説明する。
（１）会議システム
独立したチャネルに記録できるので、誰の発言か後で特定できる。同時通訳システムにおいて、オリジナル会話及び複数の通訳された会話を独立したチャネルに記録することができる。
【００４６】
独立したチャネルに記録された通訳された会話を自由に選択して聞き直すことができるので、全翻訳結果が収録された議事録にすることができる。このように、議事録のコピーを大量に作成することが容易である。
【００４７】
また、暗号化を行うことで許諾を受けた者だけが聞くことができるようにできる。
【００４８】
更に、遅刻者救済機能として、遅れて出席した人に、会議の初めからの状況を振り返り再生することで、会議の全容を把握することができる。
【００４９】
また、うっかり聞き逃してしまった場合にも、聴き直しのための追っかけ再生等を実現できる。
（２）語学教育
語学教室及び学習塾で語学教育を行う場合、カセットテープ等を使用する場合が一般的であるが、設備が大がかりなものになるばかりかその運用が大変である。
【００５０】
本発明に係る記録方法によれば、予めパーソナルコンピュータ（ＰＣ）で教材を準備し、採点（ヒアリング）もＰＣを用いて簡単に行うことができるようになる。また、１つのメモリメディアに全員分の教材と全学習者の音声を全て記録できる。そして、学習者は、教材を聞きながらドリル（自分で発話し、記録）を行うことができる。
（３）電話の通話記録
複数台の電話機の通話をタイムスタンプ（及びナンバーディスプレー：条件による）と供に記録する。
【００５１】
既に同等のシステムを採用している企業のバックアップ用として用いる。
【００５２】
コールセンター、事務所の通話記録として用いる。
【００５３】
複数電話回線及び電話機などの同時録音再生、ボイスロガー等に用いる。
【００５４】
図１０は、電話回線のボイスロガーとして利用する場合の構成の一例を示す図である。図１０に示す（ａ）は、標準的な接続であり、図１０に示す（ｂ）は既設のボイスロガーに並列に接続することで、メインのボイスロガーがダウンした場合のバックアップとして機能させる場合である。
【００５５】
図１０に示す（ａ）、（ｂ）の何れの場合でも、録音したメモリメディアの取り扱いが容易であり、パーソナルコンピュータ（ＰＣ）で再生することができる。
（４）その他
ネットワークに接続することにより、ネットワークに接続された複数のＰＣで、共有ボイスサーバーとして使用することができる。
【００５６】
また、用途は音声が主流であるが、将来のメモリメディアのアクセスタイミングの高速化や記録容量の高容量化により、画像などの処理も考えられる。この場合、音声データと画像データとを同期させて記録させることにより、プレゼンテーション資料の作成や会議などの現場の再現性を容易に実現することができる。
【図面の簡単な説明】
【００５７】
【図１】従来のデータ記録装置の構成例を示す図である。
【図２】本実施形態における音声記録装置の構成の一例を示すブロック図である。
【図３】図２に示したメディアＩ／Ｆ部２０１の詳細な構成を示すブロック図である。
【図４】無音圧縮処理の概要を説明するための図である。
【図５】メモリメディア多重記録処理のタイミングを示す図である。
【図６】本実施形態における録音及び再生処理を示す概略フローチャートである。
【図７】メモリメディア２０２へのアクセスタイミングを示す図である。
【図８】音声データの書き込み開始時の詳細なタイミングを示す図である。
【図９】音声データの書き込み終了時の詳細なタイミングを示す図である。
【図１０】電話回線のボイスロガーとして利用する場合の構成の一例を示す図である。
【符号の説明】
【００５８】
２０１  メディアインタフェース（Ｉ／Ｆ）部
２０２  メモリメディア
３０１  前処理部
３０２  ＦＩＦＯ（First In First Out）
３０３  データセレクタ
３０４  インタフェース（Ｉ／Ｆ）部
３０５  制御部
３０６  音声再生機能部
３０７  スピーカ
３０８  キー入力部
３０９  表示部
【図１】
2005301135.tif 000003
【図２】
2005301135.tif 000004
【図３】
2005301135.tif 000005
【図４】
2005301135.tif 000006
【図５】
2005301135.tif 000007
【図６】
2005301135.tif 000008
【図７】
2005301135.tif 000009
【図８】
2005301135.tif 000010
【図９】
2005301135.tif 000011
【図１０】
2005301135.tif 000012